(57)【要約】【課題】上位機側のデータ処理負担を増大させずに、重点商品の在庫状況を迅速にかつ正確に掌握することができるようにする。【解決手段】売上データや入力された廃棄や納品等の入力商品が重点商品店舗設定テーブル２４ＧＳに記憶されている重点商品情報に係る重点商品に関するものであるときは当該数量を重点商品数量として重点商品店舗集計テーブル２４ＧＴに記憶し、記憶された数量をもとに在庫数を算出し重点商品店舗集計テーブル２４ＧＴに記憶し、かつ送信時間店舗設定テーブル２４ＴＳに記憶されている自発送信時間情報に係る重点商品送信時間になる度に重点商品店舗集計テーブル２４ＧＴに集計記憶されている重点商品別在庫数量をホストコンピュータ３０へ送信可能に形成された商品販売データ処理装置としたもの。【選択図】            図９
2004234474.tif 000002
【特許請求の範囲】
【請求項１】
登録された商品の売上データを売上マスターファイルに集計して、この集計した売上データを上位機器に送信する商品販売データ処理装置において、
計時手段と、
重点商品を特定する情報を記憶する重点商品設定エリアと、
重点商品の集計した売上データを前記上位機器に送信する時間を記憶するデータ送信時間設定エリアと、
前記計時手段が前記データ送信時間設定エリアに設定された時間になると前記重点商品設定エリアに記憶した情報により特定された重点商品の売上データを前記売上マスターファイルから前記上位機器に送信する送信手段と
を備えたことを特徴とする商品販売データ処理装置。
【請求項２】
登録された商品の売上データを売上マスターファイルに集計して、この集計した売上データを上位機器に送信する商品販売データ処理装置において、
計時手段と、
重点商品を特定する情報を記憶する重点商品設定エリアと、
重点商品の売上データを前記上位機器に送信する時間を記憶するデータ送信時間設定エリアと、
重点商品の売上データを記憶する重点商品店舗集計エリアと、
登録される商品が前記重点商品設定エリアに記憶した情報により重点商品と特定されるとこの商品の売上データを前記重点商品店舗集計エリアに集計する集計手段と、
前記計時手段が前記データ送信時間設定エリアに設定された時間になると前記重点商品店舗集計エリアに集計された売上データを前記上位機器に送信する送信手段と
を備えたことを特徴とする商品販売データ処理装置。
【請求項３】
請求項１または２記載の商品販売データ処理装置において、
前記重点商品設定エリアは、上位機器から送信された重点商品情報を記憶することを特徴とする商品販売データ処理装置。
【請求項４】
売上データを売上マスターファイルに集計して、この集計した売上データを上位機器に送信する商品販売データ処理装置に用いられる商品販売データ処理方法において、
計時手段と、重点商品を特定する情報を記憶する重点商品設定エリアと、重点商品の集計した売上データを前記上位機器に送信する時間を記憶するデータ送信時間設定エリアとを設け、
登録される商品が前記重点商品設定エリアに記憶した情報により重点商品と特定されるとこの重点商品の売上データを前記重点商品店舗集計エリアに集計し、
前記計時手段が前記データ送信時間設定エリアに設定された時間になると、前記重点商品設定エリアに集計された売上データを前記上位機器に送信する商品販売データ処理方法。
【請求項５】
売上データを売上マスターファイルに集計して、この集計した売上データを上位機器に送信する  商品販売データ処理装置を、
登録された商品がこの商品販売データ処理装置内に設けられた重点商品設定エリアに記憶した情報により重点商品情報と特定されると登録された売上データを重点商品店舗集計エリアに集計する手段と、
前記商品販売データ処理装置の計時手段が前記商品販売データ処理装置内に設けられたデータ送信時間設定エリアに設定された時間になると前記重点商品店舗集計エリアに集計された売上データを前記上位機器に送信する手段と
して機能させることを特徴とする商品販売データ処理プログラム。
【発明の詳細な説明】
【０００１】
【発明の属する技術分野】
本発明は、売上データを集計して、この売上データを上位機器に送信する商品販売データ処理装置、商品販売データ処理方法及び商品販売データ処理プログラムに関する。
【０００２】
【従来の技術】
商品販売データ処理装置には、商品ローカルファイル等を有する複数の端末と商品マスターファイル等を有しかつ各端末を一括管理可能な店舗内のストアコントローラとをデータ通信回線網（ＬＡＮ等）を介して接続した構成とされたものがある。さらに、このような商品販売データ処理装置の各店舗内のストアコントローラは、広域データ通信回線網（ＩＳＤＮ等）を介して各店舗の売上等を一括管理可能な本部店舗のホストコンピュータに接続されている。このような商品販売データ処理装置は、ホストコンピュータによって各店舗内のストアコントローラを介して接続された各端末から売上データを集計して商品販売状況の管理が可能となるように形成されている。
【０００３】
各端末では、商品登録モードで顧客ごとに商品登録が行われる。店員が顧客の購入した全商品を商品登録して締め操作を実行すると、端末は登録商品の合計金額等を算出し会計処理を実行する。つまり、売上データ（例えば、商品コード、単価、売上数量等）を商品ローカルファイル内の売上ファイルに登録する。また、店舗内のストアコントローラから収集要求を受信した各端末は、売上ファイルに登録した売上データをデータ通信回線網を通じて店舗内のストアコントローラへ送信する。
【０００４】
店舗内のストアコントローラでは、各端末の売上データを受信すると、この売上データをストアコントローラ内のメモリに記憶する。一方、店舗内のストアコントローラでは、商品の販売期限が過ぎて廃棄対象となった廃棄数量や商品の納入数量等を記憶する入力データファイルを有し、店員が販売期限が過ぎた廃棄数量や納入数量等を入力し入力データファイルへ登録する。またホストコンピュータから精算等のデータ収集要求を受信すると、ストアコントローラは各端末へ売上データの収集を要求する。そして、受信した各端末の売上データを集計し、この集計された各商品の販売数量と入力データファイルへ登録された廃棄数量や納入数量等をデータ通信回線網を通じて本部店舗のホストコンピュータへ送信する。
【０００５】
本部店舗のホストコンピュータでは、各店舗のストアコントローラから受信した売上データと入力データファイルへ登録された商品の廃棄数量や納入数量等を基づいて、各店舗ごとの各商品の在庫数量を算出する。この算出された在庫数量が、次回の仕入数量の決定や店舗の商品配置の参考データとして利用される。
【０００６】
【特許文献１】
特公平６−１０１０７８号公報（第２頁、第４図）
特開２０００−４８２６２号公報（第３−４頁、第１図）
【０００７】
【発明が解決しようとする課題】
ところで、競合店を含め新規顧客の獲得や顧客の囲い込みを行うために、特売、時間帯値引販売、個数限定割引販売や新商品割引販売等を行う機会が増加している。これらの販売対象商品（重点商品）の特売等は顧客へのサービスとして行われるので、在庫切れは顧客へのサービス低下となる  とともに、店舗としても売れる可能性の高い商品が売り切れ、売上を計上できないことになる。また、余剰商品があると、販売期限を過ぎた時点での商品を廃棄処分しなければならず売上ロスとなる。そこで、店舗としては、このような在庫切れや商品の廃棄処分は避けたいことである。
【０００８】
しかし、上記従来の商品販売データ処理装置では、例えば店舗閉店時に店舗内各端末が売上データをストアコントローラを介してホストコンピュータへ送信し、ホストコンピュータ側でそれらを全店舗の受信ファイルに記憶するとともにこの受信ファイルに記憶された全販売商品の在庫状況を管理するため、  ある時刻あるいは時間毎の重点商品の在庫状況を正確に管理することができない。
【０００９】
本発明の目的は、上位機側のデータ処理負担を軽減しつつ時間毎の重点商品の在庫状況を迅速にかつ正確に管理することのできる商品販売データ処理装置を提供することにある。
【００１０】
【課題を解決するための手段】
この発明は上記事情に鑑みてなされたもので、登録された商品の売上データを売上マスターファイルに集計して、この集計した売上データを上位機器に送信する商品販売データ処理装置において、計時手段と、  重点商品を特定する情報を記憶する重点商品設定エリアと、重点商品の集計した売上データを前記上位機器に送信する時間を記憶するデータ送信時間設定エリアと、前記計時手段が前記データ送信時間設定エリアに設定された時間になると前記重点商品設定エリアに記憶した情報により特定された重点商品の売上データを前記売上マスターファイルから前記上位機器に送信する送信手段と  を備えたことを特徴とする商品販売データ処理装置としたものである。
【００１１】
【発明の実施の形態】
以下、本発明の商品販売データ処理装置の一実施の形態を、図１ないし図１１を用いて説明する。
図１に示すように、複数のターミナル１０Ａ〜１０Ｎは、ＬＡＮ回線等のデータ通信回線網１によってターミナルが設けられた同一店舗内にあるストアコントローラ２０に接続されている。また、このストアコントローラ２０は、本部店舗内に設けられたホストコンピュータ３０にＩＳＤＮ等の通信回線によって接続される。各ターミナル１０Ａ〜１０Ｎは、全て同じように構成されているので、一つのターミナル１０Ａを用いて説明する。このターミナル１０Ａは、ＣＰＵ１１にＲＯＭ１２，送信ファイル１３Ｆを有するＲＡＭ１３，ハードディスク装置（ＨＤＤ）１４，キーボード（ＫＢ）１６，表示器（ＩＮＤ）１７，プリンタ（ＰＲＴ）１５，自動開放装置を含むドロワ（ＤＲＷ）１８およびデータ通信回線網１用のインターフェイス（Ｉ／Ｆ）１９がバスラインを介して接続され、商品登録，会計処理等を実行することができる。なお、図示しない現在時刻を計時する公知の時計回路（計時手段）がバスラインを介してＣＰＵに接続されている。
【００１２】
ストアコントローラ２０は、ＣＰＵ２１に，ＲＯＭ２２，ＲＡＭ２３，ハードディスク装置（ＨＤＤ）２４，プリンタ２５，キーボード２６，表示器２７，データ通信回線網１用のインターフェイス（Ｉ／Ｆ）２８およびデータ通信回線網２用のインターフェイス（Ｉ／Ｆ）２９がバスラインを介して接続され、各ターミナル１０の一括管理機能を持つ。さらに、商品の廃棄や納入等のデータをキーボードやバーコードリーダ等で入力する機能を持つ。また、図示しない現在時刻を計時する時計回路（計時手段）がバスラインを介してＣＰＵに接続されている。
【００１３】
ＨＤＤ２４には、図示しない商品マスターファイル，売上マスターファイル等の他に、  図２に示すような重点商品店舗設定テーブル２４ＧＳ，送信時間店舗設定テーブル２４ＴＳおよび重点商品店舗集計テーブル２４ＧＴを有する重点商品ファイル２４Ｇが設けられている。これらのテーブルはいずれもＲＡＭ２３に展開して使用される。
【００１４】
本部内に配設されたホストコンピュータ３０は  、図１に示すようにＣＰＵ３１，ＲＯＭ３２，ＲＡＭ３３，ハードディスク装置（ＨＤＤ）３４，キーボード（ＫＢ）３６，表示器（ＩＮＤ）３７およびデータ通信回線網２用のインターフェイス（Ｉ／Ｆ）３９を有する。なお、図示しない現在時刻を計時する時計回路（計時手段）がバスラインを介してＣＰＵに接続されている。
【００１５】
ＨＤＤ３４には、図３に示すような重点商品マスターテーブル３４ＧＳ，送信時間マスターテーブル３４ＴＳおよび重点商品総合集計テーブル３４ＧＴ  を有する重点商品マスターファイル３４Ｇが設けられている。これらのテーブルもＲＡＭ３３に展開して使用される。
【００１６】
ストアコントローラ２０の重点商品店舗設定テーブル２４ＧＳは、図４に示すように、ホストコンピュータ３０からストアコントローラ２０に送信されて来た重点商品を特定するための重点商品情報を記憶するためのテーブルで、商品コードに対応してその商品名が記憶されている。重点商品情報とは、本部または各店舗で決定された重点的に特売しようとする商品の名称（例えば、“ＡＡＡ”）やその商品コード（例えば、“０００００１”）等  からなる通常商品とは異なる重点商品であると判別することができる情報をいい、この実施の形態では、商品コードであるが、商品コード以外の商品名そのものや、記号、あるいは商品コードと商品名の組み合わせなどであっても良い。
【００１７】
送信時間店舗設定テーブル２４ＴＳは、図５に示すように、ホストコンピュータ３０から送信されて来た自発送信時間情報を記憶するためのテーブルである。自発送信時間情報とは、ホストコンピュータ３０がストアコントローラ２０側から重点商品の在庫数量を収集しようとする時間、つまりストアコントローラ２０側に重点商品の在庫数量を自発的にホストコンピュータ３０に向けて送信するように要求する時間に関する情報である。
【００１８】
送信時間店舗設定テーブル２４ＴＳには、自動発送時間情報として、適用日（例えば、“曜日”や“特売日”等）と自発送信時間（例えば、“３時間毎”や“３０分毎”）  が設定されているが、自発送信時間は定時（例えば、１２：３０，１３：００，１３：３０，…）としてもよい。また、適用日は、例えば各月共通としてもよい。
【００１９】
また、重点商品店舗集計テーブル２４ＧＴは、図６に示すように、当該店舗内の各ターミナル１０から収集した重点商品の在庫数量とストアコントローラ２０で入力された重点商品の廃棄や納入数量を記憶し、各重点商品の在庫数量を集計した店舗内在庫数量を記憶するためのテーブルである。  具体的には、商品コードごとに、重点商品名、販売数量、廃棄数、納入数および在庫数が設定されている。
【００２０】
図１に示す  ホストコンピュータ３０のハードディスク装置３４に設けられた重点商品マスターテーブル３４ＧＳは詳細な説明は省略するが、図４に示す重点商品店舗設定テーブル２４ＧＳと同様に、重点商品情報を記憶するためのテーブルである。また、送信時間マスターテーブル３４ＴＳは詳細な説明は省略するが、図５に示す送信時間店舗設定テーブル２４ＴＳと同様に、送信時間情報を記憶するためのテーブルである。
【００２１】
図７は、重点商品総合集計テーブル３４ＧＴの詳細を示すもので、重点商品（例えば、“ＡＡＡ”）のそれぞれのストアコントローラ２０の在庫数量（店舗内中間集計数量）を収集した数量とこれらを総合集計した数量  を記憶するテーブルである。
【００２２】
次に、図８を用いてターミナルの動作を説明する。この動作は、ＨＤＤ１４内に記憶したプログラムによって、ＣＰＵ１１が行う処理である。ターミナル１０は、商品登録（ＳＴ１０）後の締め操作（ＳＴ１１のＹＥＳ）によって会計処理（ＳＴ１２）する。次に、売上データをストアコントローラ２０へ送信（ＳＴ１３）する。
【００２３】
次に図９を用いてストアコントローラの動作を説明する。この処理は、ストアコントローラ２０が通常の登録動作で行う処理である。また、この動作は、ＨＤＤ２４内に記憶したプログラムによって、ＣＰＵ２１が行う処理である。まず、例えば５分おきに発生する時間監視要求があると（ＳＴ２０でＹＥＳ）、図５に示した送信時間店舗設定テーブル２４ＴＳを参照して自発送信時間であるか否かを判別する（ＳＴ２１，ＳＴ２２）。
【００２４】
自発送信時間であると判別された場合（ＳＴ２２のＹＥＳ）に、図６に示す重点商品店舗集計テーブル２４ＧＴに記憶されている集計された重点商品別在庫数量をホストコンピュータ３０へ送信（定時送信）する（ＳＴ２３，ＳＴ２４）。
【００２５】
しかる後に、クリア手段（ＣＰＵ２１，ＲＯＭ２２）が、重点商品店舗集計テーブル２４ＧＴに記憶されている重点商品別数量をクリア（“０”にする。）する（ＳＴ２５）。また、自発送信時間でないと判別された場合（ＳＴ２２のＮＯ）はＳＴ２０へ戻る。
【００２６】
ＳＴ２０でＮＯであったときには、各ターミナル１０側から売上データを受信したか否かを判断し（ＳＴ２６）、受信した場合（ＳＴ２６のＹＥＳ）には、店舗での売上データを更新（ＳＴ２７）して、売上データの内に重要商品があると判断された場合（ＳＴ２８のＹＥＳ）は、図６  に示す重点商品店舗集計テーブル２４ＧＴに集計した売上数量（重点商品販売数量）と在庫数量（重点商品在庫数量）を記憶かつ更新する（ＳＴ２９）。
【００２７】
ＳＴ２６でＮＯであったときには、ストアコントローラ２０に廃棄や納品が入力されたか否かを判断し（ＳＴ３０）、廃棄や納入等が発生した場合は（ＳＴ３０のＹＥＳ）、店舗での廃棄や納入データを更新（ＳＴ３１）して、廃棄や納入データの内に重要商品があると判断された場合（ＳＴ３２のＹＥＳ）は、図６の重点商品店舗集計テーブル２４ＧＴの廃棄数量または納入数量を記憶し、かつ在庫数量を（重点商品在庫数量）を更新する（ＳＴ３３）。
【００２８】
ＳＴ３０でＮＯであったときには、ホストコンピュータ３０側から重点商品情報を受信したか判断し（ＳＴ３４）、受信した場合は（ＳＴ３４のＹＥＳ）、重点商品情報を図４に示す重点商品店舗設定テーブル２４ＧＳに設定記憶（ＳＴ３５）する。
ＳＴ３４でＮＯであったときには、ホストコンピュータ３０側から自発送信時間情報を受信したか判断し（ＳＴ３６）、受信した場合は（ＳＴ３６でＹＥＳ）、自発送信時間情報を図５に示す送信時間店舗設定テーブル２４ＴＳに設定記憶（ＳＴ３７）する。
【００２９】
次に図１０を用いて、ホストコンピュータ３０での設定時の動作を説明する。この動作は、ＨＤＤ３４内に記憶したプログラムによって、ＣＰＵ３１が行う処理である。ホストコンピュータ３０  を設定モードに切替えると、この処理が実行される。表示器３７を参照しつつキーボード３６を操作して重点商品情報の設定入力がなされたか否かを判断し（ＳＴ４０）、設定であれば（ＳＴ４０でＹＥＳ），重要商品情報の設定が終了したか否かを判断し（ＳＴ４１）、終了であれば（ＳＴ４１のＹＥＳ）設定記憶（ＳＴ４２）することができる。
また、ＳＴ４０でＮＯであったときは、重要商品情報送信要求か否かを判断し（ＳＴ４３）、送信要求であれば（ＳＴ４３のＹＥＳ）と、重点商品マスターテーブル３４ＧＳを参照（ＳＴ４４）し、このテーブルに記憶されている重点商品情報を各ストアコントローラ２０へ送信（ＳＴ４５）する。
【００３０】
ＳＴ４３でＮＯであったときは、自発送信時間情報の設定入力がなされたか否かを判断し（ＳＴ４６）、設定であれば（ＳＴ４６のＹＥＳ）自発送信時間情報の設定が終了したか否かを判断し（ＳＴ４７）、終了であれば（ＳＴ４７のＹＥＳ）設定記憶（ＳＴ４８）することができる。
【００３１】
ＳＴ４６でＮＯであったときは、自発送信時間情報送信要求か否かを判断し（ＳＴ４９）、送信要求であれば（ＳＴ４９のＹＥＳ）と、送信時間マスターテーブル３４ＴＳを参照（ＳＴ５０）し、このテーブルに記憶されている自発送時間情報を各ストアコントローラ２０へ送信（ＳＴ５１）する。
【００３２】
次に図１１を用いて、ホストコンピュータ３０が通常動作の時に行なう処理を説明する。ストアコントローラ２０から重点商品の在庫数量を収集つまり定時受信（ＳＴ６０でＹＥＳ）すると、  重点商品別に総合集計して、新規の総合集計値（累計値）を当該重点商品総合集計テーブル３４ＧＴに書込み更新（ＳＴ６１）する。
【００３３】
ＳＴ６０でＮＯであったときには、総合集計出力要求があれば（ＳＴ６２でＹＥＳ）、図７の重点商品総合集計テーブル３４ＧＴを参照（ＳＴ６３）しかつこれに記憶されている全部（または、指定された一部）の重点商品別販売数量（販売状況）を表示器３７に表示出力（ＳＴ６４）。また、印刷要求されると（ＳＴ６５のＹＥＳ）、ネットワークプリンタ（図示省略）等を用いて印刷出力（ＳＴ６６）する。
【００３４】
ＳＴ６２でＮＯであったときには、各店舗内での重点商品を含む全商品の販売状況（店舗内中間集計販売状況）は、集計要求があれば（ＳＴ６７でＹＥＳ）、各店舗のストアコントローラ２０に対し重点商品を含む全商品の販売状況（店舗内中間集計販売状況）のデータ収集要求を送信する（ＳＴ６８）。次にストアコントローラからの送信ファイルの受信ならば（ＳＴ６９のＹＥＳ）受信ファイルに記憶する（ＳＴ７０）。こうして全店舗のストアコントローラ２０からの送信ファイルを受信（ＳＴ７１のＹＥＳ）したならば、ＳＴ６０へ戻る。また、全店舗のストアコントローラ２０の送信ファイルの受信が終了していない場合（ＳＴ７１のＮＯ）は、ＳＴ７０へ戻る。
【００３５】
かかる実施形態では、ホストコンピュータ３０は重点商品情報（商品コードおよび重点商品名）を重点商品マスターテーブルに設定し記憶する（ＳＴ４０〜ＳＴ４２）。また自発送信時間情報（例えば、曜日と時間）を送信時間マスターテーブル設定し記憶し（ＳＴ４６〜ＳＴ４８）、各ストアコントローラ２０へ送信する。各ストアコントローラ２０は、ホストコンピュータ３０から送信されて来た重点商品情報（商品コードおよび重点商品名）を図４に示す重点商品店舗設定テーブル２４ＧＳに記憶（図９のＳＴ３５）し、また自発送信時間情報（例えば、曜日と時間）を図５に示す送信時間店舗設定テーブル２４ＴＳに記憶（ＳＴ３７）する。
【００３６】
各店舗において、ストアコントローラ２０は、各ターミナル１０から売上データを受信（ＳＴ２６のＹＥＳ）すると、当該売上データに係る商品情報が重点商品店舗設定テーブル２４ＧＳに記憶されている重点商品情報に係る重点商品に関するものであるか否かを判別（ＳＴ２８）する。
【００３７】
引続き、ストアコントローラ２０は、売上データに係る商品情報（例えば、“商品コード…０００００１”および“商品名がＡＡＡ”）が重点商品店舗設定テーブル２４ＧＳに記憶されている重点商品情報に係る重点商品（“ＡＡＡ”）に関するものであると判別した場合（ＳＴ２８のＹＥＳ）は、図６の重点商品店舗集計テーブル２４ＧＴに集計して累計後の数（５０個）を販売数量として記憶（ＳＴ２９）するとともに、在庫数の更新を行う（ＳＴ２９）。さらに、ストアコントローラ２０で廃棄や納入があった場合には（ＳＴ３０のＹＥＳ）、入力された廃棄数（１０個）あるいは納入数（１００個）をもとに在庫数量を算出（４０＝１００−５０−１０）して在庫数を更新記憶する（ＳＴ３１，ＳＴ３３）。すなわち、店舗内で中間集計をする。なお、重点商品店舗集計テーブル２４ＧＴに記憶したこれらの重点商品に関する売上データ等は、図示しない売上マスターファイルに記憶した一般商品の売上データの精算処理時に同時にクリアされる。
【００３８】
なお、重点商品以外の商品（通常商品）に関しては、従来例の場合と同様に、ストアコントローラ２０で中間集計してからホストコンピュータ３０へ例えば閉店時に送信すればよい。
【００３９】
ストアコントローラ２０は、送信時間店舗設定テーブル２４ＴＳに記憶されている自発送信時間情報に係る重点商品送信時間（例えば、“３０分毎”）になると（図９のＳＴ２２のＹＥＳ）、店舗内中間集計しかつ重点商品店舗集計テーブル２４ＧＴに記憶されている重点商品別販売数量をホストコンピュータ３０に送信（ＳＴ２４）する。
【００４０】
この実施形態の場合は、予め商品（“ＡＡＡ”）が“特売”する重点商品として設定されているので、重点商品（“ＡＡＡ”）の在庫数量（例えば、“４０”）が定時送信される。
【００４１】
かくして、ホストコンピュータ３０では、各ストアコントローラ２０から受信した重点商品別在庫数量を総合集計して図７の重点商品総合集計テーブル３４ＧＴを更新する（図１１のＳＴ６１）。重点商品送信時間になる度に送信されて来る各重点商品別在庫数量は、当該各ストアコントローラ２０で当該各ターミナル１０から受信した重点商品別の個別販売数量と当該各ストアコントローラ２０で入力された廃棄数量や納入数量をもとに算出された在庫数量が集計されたものであるから、ホストコンピュータ３０の総合集計処理（図１１のＳＴ６１）に関する負荷を大幅に軽減できかつ迅速な処理ができる。
【００４２】
したがって、ホストコンピュータ３０側のデータ処理負担を軽減しつつ重点商品在庫数量からその在庫状況を迅速にかつ正確に掌握することができる。しかも、ホストコンピュータ３０の操作者（本社等の管理部門）が重点商品の設定ができるため、的確な販売戦略が行え、重点商品別在庫数量を正確にかつ一日に何回でも知ることができるから、特売，時間帯別値引販売，個数限定割引販売等の実効を大幅に向上できる。
【００４３】
また、各ストアコントローラ２０は、送信時間店舗設定テーブル２４ＴＳに記憶されている自発送信時間情報に係る重点商品送信時間になる度（図９のＳＴ２２でＹＥＳ）に、重点商品店舗集計テーブル２４ＧＴに集計記憶されている重点商品別在庫数量をホストコンピュータ３０へ送信した後に、重点商品店舗集計テーブル２４ＧＴに集計記憶されている重点商品別数量をクリア（ＳＴ２５）するように形成されているので、ストアコントローラ２０のメモリ（重点商品店舗集計テーブル２４ＧＴ）の小容量化を図れかつホストコンピュータ３０は受信する度に当該販売数量を例えば重点商品総合集計テーブル３４ＧＴに累計するだけよいから総合集計処理を一段と簡素化および迅速化できる。
【００４４】
なお、この実施の形態では、店舗内の複数のターミナル１０Ａ〜１０Ｎとストアコントローラ２０で商品販売データ処理装置として、また、本部店舗のホストコンピュータを上位機器として説明したが、例えば店舗内のシステムでターミナルを本願発明の商品販売データ処理装置として、ストアコントローラを上位機器とすることや、各店舗に配設されたターミナルからストアコントローラを介さずに、直接ホストコンピュータに接続するようなシステムに適用できる。
【００４５】
また、この実施の形態では、ストアコントローラ２０内のハードディスク装置２４に重点商品ファイル２４Ｇを設け、さらにこの重点商品ファイル２４Ｇ内に重点商品店舗設定テーブル２４ＧＳ、送信時間店舗設定テーブル２４ＴＳおよび重点商品店舗集計テーブル２４ＧＴを設けたもので説明したが、例えば、重点商品店舗設定テーブル２４ＧＳに集計テーブルを組み込んだテーブルとすることも可能であるし、また、重点商品店舗集計テーブル２４ＧＴを設けずに、ハードディスク装置２４内に設けた売上マスターファイルに集計したデータを選択的に送信するようにしても良い。
【００４６】
上述のターミナル１０Ａ〜１０Ｎに記憶したプログラム、ストアコントローラ２０に記憶したプログラム、ホストコンピュータ３０に記憶したプログラムは、それぞれの装置を店舗などへの設置前に製造元や販売元でセットアッププログラムによって自動的に、あるいは操作者による操作によって  インストールしておくこともできるし、装置のバージョンアップ時に例えばＣＤ―ＲＯＭやフラッシュメモリ等の外部記憶媒体に記憶させてインストールすることや、電気通信回線を用いて各装置へダウンロードすることでインストールすることもできる。なお、製品設置後にプログラムをインストールする場合は、ストアコントローラ２０にプログラムをインストールするときに、これらのプログラムのセットアッププログラムによって自動的に、あるいは操作者による操作によって、図２に示される重点商品店舗設定テーブル２４ＧＳ、送信時間店舗設定テーブル２４ＴＳ、重点商品店舗集計テーブル２４ＧＴ、および、図３に示される重点商品マスターテーブル３４ＧＳ、重点商品総合集計テーブル３４ＧＴが、それぞれＨＤＤ２４内およびＨＤＤ３４内に領域が設定される。
【００４７】
【発明の効果】
以上説明したように、重点商品数量からその在庫状況を迅速にかつ正確に掌握することができるとともに重点商品の従来選択作業を一掃できるから取扱い簡単である。しかも、重点商品別在庫数量を正確にかつ設定された時間に知ることができるから、特売，時間帯別値引販売，個数限定割引販売等の実効を大幅に向上できる。
【図面の簡単な説明】
【図１】本発明の実施形態を示すブロック図である。
【図２】ストアコントローラのハードディスク装置内の重点商品ファイルを説明するための図
【図３】ホストコンピュータのハードディスク装置内の重点商品ファイルを説明するための図
【図４】同じく、ストアコントローラ側の重点商品店舗設定テーブルを説明するための図である。
【図５】同じく、ストアコントローラ側の送信時間店舗設定テーブルを説明するための図である。
【図６】同じく、ストアコントローラ側の重点商品店舗集計テーブルを説明するための図である。
【図７】同じく、ホストコンピュータ側の重要商品総合集計テーブルを説明するための図である。
【図８】同じく、ターミナル側の動作を説明するためのフローチャートである。
【図９】同じく、ストアコントローラ側の動作を説明するためのフローチャートである。
【図１０】同じく、ホストコンピュータ側の動作を説明するためのフローチャート（１）である。
【図１１】同じく、ホストコンピュータ側の動作を説明するためのフローチャート（２）である。
【符号の説明】
１  ＬＡＮ（データ通信回線網）
１０  ターミナル
２０  ストアコントローラ
２４ＧＳ  重点商品店舗設定テーブル
２４ＴＳ  送信時間店舗設定テーブル
２４ＧＴ  重点商品店舗集計テーブル
２５  プリンタ
【図１】
2004234474.tif 000003
【図２】
2004234474.tif 000004
【図３】
2004234474.tif 000005
【図４】
2004234474.tif 000006
【図５】
2004234474.tif 000007
【図６】
2004234474.tif 000008
【図７】
2004234474.tif 000009
【図８】
2004234474.tif 000010
【図９】
2004234474.tif 000011
【図１０】
2004234474.tif 000012
【図１１】
2004234474.tif 000013